【手続補正書】
【提出日】平成16年10月6日(2004.10.6)
【手続補正１】
【補正対象書類名】明細書
【補正対象項目名】特許請求の範囲
【補正方法】変更
【補正の内容】
【特許請求の範囲】
【請求項１】
建物の布基礎の立ち上がり部とこの立ち上がり部で包囲された地盤上に施工した土間床との継ぎ目をシロアリが通過して前記建物の床下へ侵入するのを防止する建物の防蟻構造であって、
前記継ぎ目に、前記シロアリの分泌物に耐性で耐食害性のシーリング材を充填したことを特徴とする建物の防蟻構造。
【請求項２】
前記土間床の上面の周縁に、周方向に延びる目地用切欠部を設けた請求項１記載の建物の防蟻構造。
【請求項３】
前記建物の外周部分に施工された立ち上がり部とこの立ち上がり部の下方に施工されたベース部との継ぎ目に、前記シロアリの分泌物に耐性で耐食害性のシーリング材を充填した請求項１又は２記載の建物の防蟻構造。
【請求項４】
前記立ち上がり部の外側面の下端又は内側面の下端に、周方向に延びる目地用切欠部を設けた請求項３記載の建物の防蟻構造。
【請求項５】
前記ベース部の上面における前記立ち上がり部の外側面又は内側面の下方位置に、周方向に延びる切欠溝を設けた請求項３記載の建物の防蟻構造。
【請求項６】
前記建物の外周部分に施工された立ち上がり部の外側面の下端に、周方向に延びかつ上面が地盤面より下方に位置する突出部を設け、前記立ち上がり部の外側面及び前記突出部の上面に密着するようにこの突出部の厚さと略同じ厚さの基礎断熱材を設けると共に、前記突出部の外側面から前記基礎断熱材の外側面における少なくとも地上の所定高さまでの範囲に、前記シロアリの分泌物に耐性で耐食害性のシーリング材を塗布した請求項１乃至５のいずれか記載の建物の防蟻構造。
【請求項７】
前記シロアリの分泌物に耐性で耐食害性のシーリング材に高硬度粒子を配合した請求項１乃至６のいずれか記載の建物の防蟻構造。
【請求項８】
前記高硬度粒子同士の分散間隔が前記シロアリの頭部の横断面における最大寸法の２倍以下である請求項７記載の建物の防蟻構造。
【請求項９】
請求項１乃至８のいずれか記載の防蟻構造を有する建物。
【手続補正２】
【補正対象書類名】明細書
【補正対象項目名】０００２
【補正方法】変更
【補正の内容】
【０００２】
【従来の技術】
建物における従来のシロアリ防除技術としては、例えば、
（１）建物の床下の地盤（土壌）と、地面から１ｍ以内の木部とを薬剤で処理する方法、
（２）シロアリの活動をモニタリングしながら、侵入してきたシロアリに少量の薬剤を含む毒餌を摂食させて根絶するベイト工法（レスケミカル法）、
等が知られている。
（３）また、特開２００１−４９７５３号公報には、床下の防蟻剤が漏れないように防蟻剤遮断部を設ける技術が開示されている。
【手続補正３】
【補正対象書類名】明細書
【補正対象項目名】０００４
【補正方法】変更
【補正の内容】
【０００４】
また、従来例（２）においては、シロアリに毒餌を摂食させ、コロニー全体の活力を衰退させることを目的とするため、その開始から終了までに少なくとも数カ月〜２年程度の長期間を要するという問題点がある。
従来例（３）においては、土間床下の地盤に薬剤の散布、あるいは防蟻のためのシートを設ける必要があり、そのための費用が必要である。
【手続補正４】
【補正対象書類名】明細書
【補正対象項目名】０００６
【補正方法】変更
【補正の内容】
【０００６】
【課題を解決するための手段】
上記目的を達成するため、請求項１の防蟻構造は、建物の布基礎の立ち上がり部とこの立ち上がり部で包囲された地盤上に施工した土間床との継ぎ目をシロアリが通過して前記建物の床下へ侵入するのを防止する建物の防蟻構造であって、前記継ぎ目に、前記シロアリの分泌物に耐性で耐食害性のシーリング材を充填したものである。
【手続補正５】
【補正対象書類名】明細書
【補正対象項目名】０００８
【補正方法】変更
【補正の内容】
【０００８】
請求項３の防蟻構造は、前記建物の外周部分に施工された立ち上がり部とこの立ち上がり部の下方に施工されたベース部との継ぎ目に、前記シロアリの分泌物に耐性で耐食害性のシーリング材を充填したものである。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
請求項６の防蟻構造は、前記建物の外周部分に施工された立ち上がり部の外側面の下端に、周方向に延びかつ上面が地盤面より下方に位置する突出部を設け、前記立ち上がり部の外側面及び前記突出部の上面に密着するようにこの突出部の厚さと略同じ厚さの基礎断熱材を設けると共に、前記突出部の外側面から前記基礎断熱材の外側面における少なくとも地上の所定高さまでの範囲に、前記シロアリの分泌物に耐性で耐食害性のシーリング材を塗布したものである。
【手続補正８】
【補正対象書類名】明細書
【補正対象項目名】００１３
【補正方法】変更
【補正の内容】
【００１３】
請求項７の防蟻構造は、前記シロアリの分泌物に耐性で耐食害性のシーリング材に高硬度粒子を配合したものである。
【手続補正９】
【補正対象書類名】明細書
【補正対象項目名】００１４
【補正方法】変更
【補正の内容】
【００１４】
請求項８の防蟻構造においては、前記高硬度粒子同士の分散間隔が前記シロアリの頭部の横断面における最大寸法の２倍以下である。
【手続補正１０】
【補正対象書類名】明細書
【補正対象項目名】００１５
【補正方法】変更
【補正の内容】
【００１５】
また、請求項９の建物においては、請求項１乃至８のいずれか記載の防蟻構造を有する。
【手続補正１１】
【補正対象書類名】明細書
【補正対象項目名】００２１
【補正方法】変更
【補正の内容】
【００２１】
シーリング材９としては、シロアリ７から放出されるギ酸等の分泌物に耐性で、使用環境下で数年から数十年の耐用年数を有する耐劣化性材料で構成されていれば、種々のものを使用できる。例えば、シリコーン系、変性シリコーン系、ポリサルファイド系、変性ポリサルファイド系、アクリルウレタン系、ポリウレタン系、アクリル系、スチレン・ブタジエン共重合ゴム系、及びブチルゴム系等で、土間床に用いる物理的防蟻効果を有する材料の収縮及び膨張といった動き（コンクリートの場合、乾燥収縮率０．０４〜０．０７％等）に追従でき、つまりＪＩＳ Ａ ５７５８で測定できるムーブメント追従性に優れ、かつ接着性にも問題ないものが挙げられる。また、粘度（ＢＳ型回転粘度計、２３℃、１０ｒｐｍ）としては、１００〜１００００Ｐａ・ｓのものが適しており、シロアリ７が歯のある大顎で噛りとろうとしても、このシーリング材９がシロアリ７の歯にひっかかり、噛み付くことを嫌うので食害できない。
【手続補正１２】
【補正対象書類名】明細書
【補正対象項目名】００２９
【補正方法】変更
【補正の内容】
【００２９】
また、シロアリバリアー材として使用されるメッシュシート１７は、シロアリ７から放出されるギ酸等の分泌物に耐性で且つシロアリ７が噛み砕くことができない硬さ、好ましくは少なくともＨＤＤ約７０のデュロメータ硬さを有すると共に、使用環境下で数十年の耐用年数を有する耐腐食性材料で構成されていれば、種々のものを使用できる。このようなメッシュシート１７としては、例えば、セラミックス、ガラス、合成樹脂、金属（特にステンレス）等の繊維、フィラメント、ストランド等から製織又は製編等されたワイヤーラス等や不織布、あるいはパンチングメタル、メタルラス等が挙げられ、特に「ターミメッシュ（ＴＥＲＭＩ−ＭＥＳＨ）」（商品名，ターミメッシュ・オーストラリア社製）等のステンレスメッシュ等が好適である。要するに、網目１８等の複数のアンカー孔を有していればよい。
【手続補正１３】
【補正対象書類名】明細書
【補正対象項目名】００３６
【補正方法】変更
【補正の内容】
【００３６】
更に、シーリング材９には、必要に応じてシロアリ忌避剤を添加することもでき、この場合にはシロアリ７によって噛み破られる可能性をより低下させることができるという利点がある。なお、シロアリ忌避剤としては、周知のものが使えるが、例えば、亜鉛や銅、あるいは亜鉛化合物や銅化合物、ホウ素あるいはホウ素化合物等が挙げられる。
【手続補正１４】
【補正対象書類名】明細書
【補正対象項目名】００４５
【補正方法】変更
【補正の内容】
【００４５】
【発明の効果】
以上のように、請求項１及び請求項９の発明によれば、立ち上がり部と土間床との継ぎ目にシロアリの分泌物に耐性で耐食害性のシーリング材を充填しているので、このシーリング材の物理的防蟻効果により、シロアリが継ぎ目を通過して床下へ侵入するのを阻止できる。そのため、建物内の環境を汚染せずかつ期間を要することなく軸組や床組等をシロアリによる食害から保護できる。
【手続補正１５】
【補正対象書類名】明細書
【補正対象項目名】００４６
【補正方法】変更
【補正の内容】
【００４６】
請求項２及び請求項９の発明によれば、土間床の上面の周縁に目地用切欠部を設けているので、シロアリの分泌物に耐性で耐食害性のシーリング材の充填時に粘性が低い場合でも、目地用切欠部にシーリング材が溜まり、そのため土間床の内側への流出を防止できる。
【手続補正１６】
【補正対象書類名】明細書
【補正対象項目名】００４７
【補正方法】変更
【補正の内容】
【００４７】
請求項３及び請求項９の発明によれば、建物の外周部分に施工された立ち上がり部とベース部との継ぎ目にシロアリの分泌物に耐性で耐食害性のシーリング材を充填しているので、このシーリング材の物理的防蟻効果により、シロアリが継ぎ目を通過して基礎断熱材へ侵入するのを阻止できる。
【手続補正１７】
【補正対象書類名】明細書
【補正対象項目名】００４８
【補正方法】変更
【補正の内容】
【００４８】
請求項４及び請求項９の発明によれば、立ち上がり部の外側面の下端又は内側面の下端に目地用切欠部を設けているので、ベース部の上面との間にシロアリの分泌物に耐性で耐食害性のシーリング材が収容される空間が形成され、そのため充填作業を行い易い。
【手続補正１８】
【補正対象書類名】明細書
【補正対象項目名】００４９
【補正方法】変更
【補正の内容】
【００４９】
請求項５及び請求項９の発明によれば、ベース部の上面における立ち上がり部の外側面又は内側面の下方位置に切欠溝を設けているので、この切欠溝に十分な量の、シロアリの分泌物に耐性で耐食害性のシーリング材を収容でき、そのため継ぎ目のシールを確実に行える。
【手続補正１９】
【補正対象書類名】明細書
【補正対象項目名】００５０
【補正方法】削除
【補正の内容】
【手続補正２０】
【補正対象書類名】明細書
【補正対象項目名】００５１
【補正方法】変更
【補正の内容】
【００５１】
請求項６及び請求項９の発明によれば、突出部の外側面から基礎断熱材の外側面における少なくとも地上の所定高さまでの範囲にシロアリの分泌物に耐性で耐食害性のシーリング材を塗布しているので、シーリング材の物理的防蟻効果により、基礎断熱材をシロアリによる食害から保護できる。
【手続補正２１】
【補正対象書類名】明細書
【補正対象項目名】００５２
【補正方法】変更
【補正の内容】
【００５２】
請求項７及び請求項９の発明によれば、シロアリの分泌物に耐性で耐食害性のシーリング材に高硬度粒子を配合しているので、床下又は基礎断熱材へのシロアリの侵入をより有効に阻止できる。
【手続補正２２】
【補正対象書類名】明細書
【補正対象項目名】００５３
【補正方法】変更
【補正の内容】
【００５３】
請求項８及び請求項９の発明によれば、高硬度粒子同士の分散間隔がシロアリの頭部の横断面における最大寸法の２倍以下であるので、仮にシロアリがシロアリの分泌物に耐性で耐食害性のシーリング材を食い破ろうとしたときでも高硬度粒子の間を通り抜けるのを嫌い、そのためシロアリの侵入を確実に阻止できる。さらに、高硬度粒子同士の分散間隔が前記最大寸法以下であれば、シロアリの侵入阻止効果を向上できる。